(57)【特許請求の範囲】
【請求項１】
保守者が音声通話を行うための機能であるオーダワイヤの制御を行うオーダワイヤ制御装置において、
１つのリングネットワークまたは複数のリングネットワークと接続し、前記リングネットワークを構成する各ネットワークエレメントを通じて送信されたオーダワイヤ信号の加算を行う複数の加算手段と、
前記リングネットワーク毎に前記オーダワイヤ信号をリング状に閉じるように、または互いに異なる前記リングネットワーク間を前記オーダワイヤ信号が相互に乗り入れするように、前記オーダワイヤ信号の加算の組み合わせ制御を行う組み合わせ制御手段と、
を有し、前記リングネットワーク毎の前記オーダワイヤ信号の通話接続処理を一括して行うことを特徴とするオーダワイヤ制御装置。
【請求項２】
Ａ−ｌａｗコードまたはμ−ｌａｗコードの前記オーダワイヤ信号を、リニアコードのディジタル音声信号に変換し、または前記ディジタル音声信号を前記Ａ−ｌａｗコードまたは前記μ−ｌａｗコードの信号に変換するディジタルコード変換手段をさらに有することを特徴とする請求項１記載のオーダワイヤ制御装置。
【請求項３】
前記加算手段は、前記オーダワイヤ信号をディジタル加算することを特徴とする請求項１記載のオーダワイヤ制御装置。
【請求項４】
保守者が音声通話を行うための機能であるオーダワイヤ制御を行うオーダワイヤ制御システムにおいて、
ネットワークエレメントで構成され、リング状のネットワークを構成する複数のリングネットワークと、
１つの前記リングネットワークまたは複数の前記リングネットワークと接続し、前記リングネットワークを構成する前記ネットワークエレメントを通じて送信されたオーダワイヤ信号の加算を行う複数の加算手段と、前記リングネットワーク毎に前記オーダワイヤ信号をリング状に閉じるように、または互いに異なる前記リングネットワーク間を前記オーダワイヤ信号が相互に乗り入れするように、前記オーダワイヤ信号の加算の組み合わせ制御を行う組み合わせ制御手段と、から構成され、前記リングネットワーク毎の前記オーダワイヤ信号の通話接続処理を一括して行うオーダワイヤ制御装置と、
を有することを特徴とするオーダワイヤ制御システム。
【発明の詳細な説明】
【０００１】
【発明が属する技術分野】
本発明はオーダワイヤ制御装置及びオーダワイヤ制御システムに関し、特に保守者が音声通話を行うための機能であるオーダワイヤ（Order wire）の制御を行うオーダワイヤ制御装置及び保守者が音声通話を行うための機能であるオーダワイヤ制御を行うオーダワイヤ制御システムに関する。
【０００２】
【従来の技術】
多重化技術の中核となるＳＤＨ／ＳＯＮＥＴは、各種の高速サービスや既存の低速サービスを有効に多重化するためのインタフェースを規定するものであり標準化されている。
【０００３】
また、ＳＤＨ／ＳＯＮＥＴでは、各種の運用情報が転送できるオーバヘッドが伝送フレームに設けられており、このオーバヘッド内のＥ１／Ｅ２バイトをオーダワイヤとして用いている。オーダワイヤのＥ１、Ｅ２バイトは、ネットワーク内のＮＥ（ネットワークエレメント）間で保守者同士が音声でやりとりを行えるように設けられたバイトである。
【０００４】
オーダワイヤは、通常、全局同時会話方式で一度に複数の保守者と通話が可能になっている。また、ＮＥがリング構成のシステムを組んでいる場合、オーダワイヤには、ハウリング防止のためのリングプロテクション（Ring Protection)機能と、回線障害時の通話救済のためのリングレストア（Ring Restore) 機能が設けられる。
【０００５】
図１０、図１１はリングプロテクション機能の概要を示す図である。図１０はオーダワイヤ信号がループを形成している図であり、図１１はリングプロテクションを施した場合の図である。
【０００６】
図１０について、ＮＥ１０１〜１０４は、リング状に接続する。ＮＥ１０１〜１０４の内部には音声信号をアナログ加算（ミキシング）する加算部Ａ１〜Ａ４が設置される。そして、電話機１０１−１〜１０４−１は、トランス（図示せず）を介して、ＮＥ１０１〜１０４に接続する。
【０００７】
ここで、Ｅ１／Ｅ２バイトに設定されて、伝送されるオーダワイヤのディジタル音声信号は、ＮＥ内部でアナログ音声信号に変換された後に、他のＮＥから送信された音声信号と加算され、電話機１０１−１〜１０４−１へ出力される。
【０００８】
また、電話機１０１−１〜１０４−１から送信されたアナログ音声信号は、ＮＥ内部で他のＮＥから送信された音声信号と加算された後に、ディジタル音声信号に変換され、Ｅ１／Ｅ２バイトに設定されて伝送される。
【０００９】
このような構成により、ＮＥ１０１〜１０４に接続するすべての電話機１０１−１〜１０４−１が互いに通話可能になる。
ところが、オーダワイヤ信号は、図に示すような状態でループを形成しているために、話者の声が再び話者側に戻ってくることになる。このため、戻ってきた声が受話器内のスピーカで再生されて、自分の声がエコーとして聞こえるハウリングが発生してしまう。
【００１０】
このようなハウリングを防止するため、ＮＥ１０１〜１０４にマスタ局とスレーブ局を設定し、マスタ局のラインのＥａｓｔ側またはＷｅｓｔ側の一方のオーダワイヤ信号を切断（終端)する。
【００１１】
例えば、図１１ではＮＥ１０１をマスタ局、ＮＥ１０２〜１０４をスレーブ局にして、ＮＥ１０１のＷｅｓｔ側のオーダワイヤ信号を切断している。
これにより、オーダワイヤに関しては、ＮＥ１０１〜１０４がリニアに接続した構成となるので、ループが形成されず、ハウリングを防止することができる。
【００１２】
図１２、図１３はリングレストア機能の概要を示す図である。図１２は回線障害が発生した場合の図であり、図１３はリングレストアを施した場合の図である。
【００１３】
図１２について、ＮＥ１０１〜１０４はリング状に接続し、ハウリング防止のためにＮＥ１０１をマスタ局として、Ｗｅｓｔ側のオーダワイヤ信号を切断する。
【００１４】
ここで、図に示す位置で回線障害が発生したとする。すると、ＮＥ１０１のＷｅｓｔ側のオーダワイヤ信号は切断されているため、ＮＥ１０１とＮＥ１０３、１０４間で通話が不通となり、ＮＥ１０２とＮＥ１０３、１０４間で通話が不通となってしまう。
【００１５】
このように、オーダワイヤ信号を切断している場合に回線障害が発生すると、そのままではオーダワイヤ信号が不通となるＮＥがでてきてしまう。したがって、このような場合には、回線障害アラームをマスタ局であるＮＥ１０１に通知して、回線障害発生時にはオーダワイヤ信号の切断を解除して、オーダワイヤ信号を救済する必要がある。
【００１６】
例えば、図１３では、ＮＥ１０３は回線障害の検出を行い、回線障害アラームをＮＥ１０４を介してＮＥ１０１に送信する。そして、ＮＥ１０１は、オーダワイヤ信号の切断を解除する。また、ハウリング防止のためのオーダワイヤ信号の切断を、ＮＥ１０３のＷｅｓｔ側で行う。
【００１７】
これにより、オーダワイヤ信号を切断している場合に回線障害が発生しても、オーダワイヤ信号を救済することができる。
一方、上述したリングシステムでは、１台のＮＥは、１つのリングに属した構成になっているが、１台のＮＥで複数のリングを接続した（ジャンクションと呼ぶ）システムがある。図１４はＲｉｎｇ×２のジャンクション構成のシステムを示す図である。
【００１８】
ＮＥ１００はジャンクション機能を有しており、図のシステムは、ＮＥ１００を介してＮＥ１０１〜１０３がリング状に接続してＲｉｎｇ−ａを構成し、ＮＥ１００を介してＮＥ２０１〜２０３がリング状に接続してＲｉｎｇ−ｂを構成している。
【００１９】
従来のジャンクション機能を持つＮＥ１００は、通常のＮＥと同様にオーダワイヤ用の加算部は１つ有しているだけであり、また、この加算部は、複数のリングネットワークからのオーダワイヤ信号を加算する機能は持たない。
【００２０】
したがって、このようなシステムでオーダワイヤ機能を使用する場合には、ＮＥ１００のＲｉｎｇ−ａ、ｂのいずれかのＥａｓｔとＷｅｓｔ両方のオーダワイヤ信号を切断することになる（図ではＲｉｎｇ−ａの方を切断している）。
【００２１】
このような場合、Ｒｉｎｇ−ａは、オーダワイヤとしてはリング構成にはならない（ＮＥ１００のＲｉｎｇ−ａのＥａｓｔとＷｅｓｔ両方のオーダワイヤ信号を切断したため、オーダワイヤとしてリング構成にはならないが、その他の通信信号はＮＥ１００、１０１〜１０３間で通信可能なリング構成である）。
【００２２】
一方、Ｒｉｎｇ−ｂでは、オーダワイヤはリング構成となるので、上述したようなリングプロテクション機能とリングレストア機能を使用できる。図ではＲｉｎｇ−ｂのＮＥ２０１をマスタ局とし、ＮＥ１００とＮＥ２０２、２０３をスレーブ局とする。そして、ＮＥ２０１のＷｅｓｔ側のオーダワイヤを切断する。
【００２３】
【発明が解決しようとする課題】
ここで、上記のような複数のリングを持つシステムに対し、Ｒｉｎｇ−ａではＮＥ１０１とＮＥ１０３が通話をし、Ｒｉｎｇ−ｂではＮＥ１００とＮＥ２０３が通話を行うものとする。
【００２４】
この場合、Ｒｉｎｇ−ｂの例えば図に示す位置Ｐｂに回線障害が発生しても、Ｒｉｎｇ−ｂはオーダワイヤがリング構成であるため、リングレストア機能が働き、オーダワイヤ信号は救済される（ＮＥ１００が回線障害アラームをＮＥ２０１へ送信する。そして、オーダワイヤ信号の切断は、ＮＥ２０１のＷｅｓｔからＮＥ１００のＥａｓｔに変更される）。
【００２５】
しかし、Ｒｉｎｇ−ａの例えば、図に示す位置Ｐａに回線障害が発生した場合、ＮＥ１０１、ＮＥ１０３はそれぞれ、ＥａｓｔまたはＷｅｓｔから信号を送っても、相手ＮＥに信号は到達することができず、ＮＥ１０１、ＮＥ１０３は不通になってしまう。
【００２６】
このように、従来のジャンクション機能を持つＮＥ１００でリングシステムを構成した場合、オーダワイヤがリング構成にならないリングネットワークができてしまい、そのようなリングネットワークに回線障害が発生した場合には、オーダワイヤが不通になってしまうといった問題があった。
【００２７】
また、従来のジャンクション機能を持つＮＥ１００では、リング間での通話の柔軟な組み合わせができない。例えば、オーダワイヤ信号をＲｉｎｇ−ａ、Ｒｉｎｇ−ｂ間で相互に乗り入れするといったことができず、利便性及びシステムの拡張性に欠けるといった問題があった。
【００２８】
さらに、オーダワイヤ信号がＡ−ｌａｗ（ＳＤＨ方式）とμ−ｌａｗ（ＳＯＮＥＴ方式）が混在した場合、従来では適切な変換回路が設けられていないため、通話ができないといった問題があった。
【００２９】
本発明はこのような点に鑑みてなされたものであり、オーダワイヤ信号の制御に拡張性を持たせ、利便性及び保守性の向上を図ったオーダワイヤ制御装置を提供することを目的とする。
【００３０】
また、本発明の他の目的は、オーダワイヤ信号の制御に拡張性を持たせ、利便性及び保守性の向上を図ったオーダワイヤ制御システムを提供することである。
【００３１】
【課題を解決するための手段】
本発明では上記課題を解決するために、図１に示すような、保守者が音声通話を行うための機能であるオーダワイヤの制御を行うオーダワイヤ制御装置１０において、１つのリングネットワークまたは複数のリングネットワークと接続し、リングネットワークを構成する各ネットワークエレメントを通じて送信されたオーダワイヤ信号の加算を行う複数の加算手段１−１〜１−ｎと、リングネットワーク毎にオーダワイヤ信号をリング状に閉じるように、または互いに異なるリングネットワーク間をオーダワイヤ信号が相互に乗り入れするように、オーダワイヤ信号の加算の組み合わせ制御を行う組み合わせ制御手段２と、を有し、リングネットワーク毎のオーダワイヤ信号の通話接続処理を一括して行うことを特徴とするオーダワイヤ制御装置１０が提供される。
【００３２】
ここで、複数の加算手段１−１〜１−ｎは、オーダワイヤ信号を加算する。組み合わせ制御手段２は、加算の組み合わせ制御を行う。
また、保守者が音声通話を行うための機能であるオーダワイヤ制御を行うオーダワイヤ制御システムにおいて、ネットワークエレメントで構成され、リング状のネットワークを構成する複数のリングネットワークと、１つのリングネットワークまたは複数のリングネットワークと接続し、リングネットワークを構成するネットワークエレメントを通じて送信されたオーダワイヤ信号の加算を行う複数の加算手段と、リングネットワーク毎にオーダワイヤ信号をリング状に閉じるように、または互いに異なるリングネットワーク間をオーダワイヤ信号が相互に乗り入れするように、オーダワイヤ信号の加算の組み合わせ制御を行う組み合わせ制御手段と、から構成され、リングネットワーク毎のオーダワイヤ信号の通話接続処理を一括して行うオーダワイヤ制御装置と、を有することを特徴とするオーダワイヤ制御システムが提供される。
【００３３】
ここで、複数のリングネットワークは、ノードで構成され、リング状のネットワークを構成する。複数の加算手段は、リングネットワークからのオーダワイヤ信号を加算する。組み合わせ制御手段は、加算の組み合わせ制御を行う。
【００３４】
【発明の実施の形態】
以下、本発明の実施の形態を図面を参照して説明する。図１はオーダワイヤ制御装置の原理図である。オーダワイヤ制御装置１０は、保守者が音声通話を行うための機能であるオーダワイヤの制御を行うもので、ネットワークエレメント（以下、ＮＥ）に設けられる。
【００３５】
複数の加算手段１−１〜１−ｎは、オーダワイヤ信号をディジタル加算する。また、加算手段１−１〜１−ｎそれぞれは、ＮＥが含まれる複数のリングネットワーク（例えば、ＳＴＭ−４信号を伝送するリングトポロジのネットワーク）からのオーダワイヤ信号を加算する機能を持つ。
【００３６】
そして、加算手段１−１〜１−ｎは、後述のディジタルコード変換手段３を介してリングネットワークに接続する。
例えば図では、加算手段１−１はリングネットワーク（以下、Ｒｉｎｇ）ＡとＲｉｎｇＤと接続し、加算手段１−２はＲｉｎｇＢ、Ｃと接続し、加算手段１−３はＲｉｎｇＥと接続し、加算手段１−ｎはＲｉｎｇＦと接続している。
【００３７】
また、ＲｉｎｇＡ〜Ｆには、それぞれ任意の数のＮＥが含まれ、ＮＥには保守者が音声で打合せを行うための電話機が設けられる（図ではＲｉｎｇＡだけＮＥと電話機を示している）。
【００３８】
なお、オーダワイヤ制御装置１０にＲｉｎｇが接続した構成をオーダワイヤ制御システムと呼ぶ。
組み合わせ制御手段２は、マトリクス・スイッチで構成され、加算手段１−１〜１−ｎが行う加算の組み合わせ制御を行う。すなわち、ＲｉｎｇＡ〜Ｆのオーダワイヤ信号を加算手段１−１〜１−ｎのいずれかに接続することで、任意の複数のパターンの加算の組み合わせを可能にする。
【００３９】
これにより、Ｒｉｎｇ間をオーダワイヤ信号が相互に乗り入れしたり、または、Ｒｉｎｇ毎にオーダワイヤ信号をリング状に閉じたりできる。リング状に閉じるとは、オーダワイヤ制御装置１０を介して構成される１つのＲｉｎｇに対して、オーダワイヤ信号をリング構成にするという意味である。
【００４０】
なお、各Ｒｉｎｇが個別でオーダワイヤ機能を使用したい場合（Ｒｉｎｇ毎にオーダワイヤ信号をリング状に閉じる場合）、Ｒｉｎｇの数だけ加算手段は必要になる。
【００４１】
図では、ＲｉｎｇＡとＲｉｎｇＤ、ＲｉｎｇＢとＲｉｎｇＣで通話が行われる（オーダワイヤ信号をＲｉｎｇ間で相互乗り入れした場合）。
また、ＲｉｎｇＥとＲｉｎｇＦでは、それぞれのＲｉｎｇ内のみで通話が行われる（オーダワイヤ信号をＲｉｎｇ内でリング状に閉じた場合）。
【００４２】
一方、ディジタルコード変換手段３は、Ａ−ｌａｗコードまたはμ−ｌａｗコードのオーダワイヤ信号を、量子化ステップ幅を均一にした（リニアコード）ディジタル音声信号にリニア変換して、加算手段１−１〜１−ｎへ出力する。逆にリニア変換されたディジタル音声信号をＡ−ｌａｗコードまたはμ−ｌａｗコードに変換して対応する各ＲｉｎｇのＮＥへ出力する。
【００４３】
図２は組み合わせ制御の変形例を示す図である。変形例は、すべてのＲｉｎｇＡ〜Ｆのオーダワイヤ信号を組み合わせ制御手段２により、接続先を加算手段１−１に接続した場合である。このような構成の場合では、ＲｉｎｇＡ〜ＦのすべてのＮＥを通じての通話が可能になる。なお、以降では、組み合わせ制御手段をマトリクス・スイッチと呼ぶ。
【００４４】
次にオーダワイヤ制御装置１０を用いて複数のＲｉｎｇを接続したジャンクション構成のシステムについて説明する。図３はＲｉｎｇ×２のシステム構成を示す図である。
【００４５】
ＮＥ１０ａは、オーダワイヤ制御装置１０の機能を有しているジャンクション接続が可能なＮＥである。図のシステムは、ＮＥ１０ａを介して、ＮＥ２１〜２３がリング状に接続してＲｉｎｇＡを構成し、ＮＥ１０ａを介して、ＮＥ３１〜３３がリング状に接続してＲｉｎｇＢを構成する。また、すべてのＮＥに保守用の電話機が接続する。
【００４６】
また、オーダワイヤ制御装置１０は、Ｒｉｎｇ毎にマスタ局／スレーブ局の設定が可能である（図ではＲｉｎｇＡ、Ｂともにスレーブ局と設定されている）。
ＮＥ２１〜２３とＮＥ３１〜３３には、オーダワイヤ信号をミキシングする加算部が設けられる。ＮＥ１０ａには、加算手段１−１、１−２が設けられ、図では加算手段１−１はＲｉｎｇＡに対応し、加算手段１−２はＲｉｎｇＢに対応している。
【００４７】
このため、ＲｉｎｇＡ、ＲｉｎｇＢいずれのネットワークに対しても、オーダワイヤ信号はリング構成になるので、リングプロテクション機能とリングレストア機能が使用できる。
【００４８】
したがって、ＲｉｎｇＡではＮＥ２１をマスタ局２１とし、ＲｉｎｇＢではＮＥ３１をマスタ局３１とし、それぞれのＷｅｓｔ側のオーダワイヤ信号を切断している。
【００４９】
図４はＮＥ１０ａの構成を示す図である。オーバヘッドＤＭＵＸ４−１〜７−１は、アラーム検出手段４ａ〜７ａとＥ１／Ｅ２設定手段４ｂ〜７ｂで構成され、受信した信号のオーバヘッドを終端する。
【００５０】
アラーム検出手段４ａ〜７ａは、回線障害アラームを検出する。Ｅ１／Ｅ２設定手段４ｂ〜７ｂは、オーダワイヤに使用するＥ１、Ｅ２いずれかの選択と、Ｅ１／Ｅ２のイネーブル・ディセーブル（Enable・Disable)制御を行う。イネーブル・ディセーブル制御とは、オーダワイヤ機能を使用するか、使用しないかを設定する制御のことである。
【００５１】
オーバヘッドＭＵＸ４−２〜７−２は、アラーム挿入手段４ｃ〜７ｃとＥ１／Ｅ２設定手段４ｄ〜７ｄで構成され、送信すべき信号にオーバヘッドを付加して出力する。
【００５２】
アラーム挿入手段４ｃ〜７ｃは、回線障害時に回線障害アラームを挿入する。Ｅ１／Ｅ２設定手段４ｄ〜７ｄは、オーダワイヤに使用するＥ１、Ｅ２いずれかの選択と、Ｅ１／Ｅ２のイネーブル・ディセーブル制御を行う。
【００５３】
ディジタルコード変換手段３ａ、３ｃ、３ｆ、３ｈは、オーバヘッドＤＭＵＸ４−１〜７−１からの信号をリニア変換して、リニアコードのディジタル音声信号を生成する。
【００５４】
マトリクス・スイッチ２ａ、２ｂは、ディジタルコード変換手段３ａ、３ｃ、３ｆ、３ｈからの信号をスイッチング制御して加算手段１−１、１−２へ出力する。
【００５５】
また、マトリクス・スイッチ２ａ、２ｂは、加算手段１−１、１−２から出力されたディジタル音声信号をスイッチング制御して、ディジタルコード変換手段３ｂ、３ｄ、３ｅ、３ｇに出力する。
【００５６】
ディジタルコード変換手段３ｂ、３ｄ、３ｅ、３ｇは、マトリクス・スイッチ２ａ、２ｂからの信号をＡ−ｌａｗコードまたはμ−ｌａｗコードに変換して、オーバヘッドＭＵＸ４−２〜７−２へ出力する。
【００５７】
電話機接続手段８は、加算手段１−１、１−２と接続し、電話機１０ａ−１の接続制御を行う。
図５は加算手段１−１、１−２と電話機接続手段８の内部構成を示す図である。加算手段１−１はディジタル加算器１ａ〜１ｅを有し、加算手段１−２はディジタル加算器１ｆ〜１ｊを有する。
【００５８】
なお、図に示す括弧内の番号は、接続先を示す番号である。例えば、マトリクス・スイッチ２ａから入力される（１）の信号は、加算手段１−１内部のディジタル加算器１ａ、１ｃ〜１ｅに入力することを示している。その他も同様である。
【００５９】
図では、電話機１０ａ−１の音声は、ＲｉｎｇＢのＥａｓｔとＷｅｓｔの両方へ送信され、ＲｉｎｇＢのＥａｓｔとＷｅｓｔの両方から送られた音声を電話機１０ａ−１は受信している。
【００６０】
電話機接続手段８は、トランス８ａ、Ａ／Ｄ８ｂ、Ｄ／Ａ８ｃ、ディジタルコード変換手段３ｉ、３ｊ、セレクタ８ｄから構成される。
トランス８ａは、電力供給を行うハイブリッド型トランスであり、電話回線の２線式線路と４線式線路の結合制御を行う。
【００６１】
Ａ／Ｄ８ｂは、トランス８ａから出力されたアナログ信号をディジタル信号に変換する。ディジタルコード変換手段３ｉは、Ａ／Ｄ８ｂからのディジタル信号をリニアコードの信号に変換してセレクタ８ｄへ出力する。セレクタ８ｄは、リニアコードの信号を加算手段１−１、１−２のいずれかを選択して出力する。
【００６２】
また、セレクタ８ｄは、加算手段１−１、１−２のいずれかからの信号を選択して、ディジタルコード変換手段３ｊに出力する。ディジタルコード変換手段３ｊは、セレクタ８ｄからの信号をＡ−ｌａｗコードまたはμ−ｌａｗコードの信号に変換してＤ／Ａ８ｃへ出力する。Ｄ／Ａ８ｃは、ディジタルコード変換手段３ｊから送信されたディジタル信号を、アナログ信号に変換してトランス８ａへ出力する。
【００６３】
次に図３に示したネットワークに対して、回線障害が発生せず、ＲｉｎｇＡ、Ｂそれぞれリング内で閉じた場合の動作について説明する。
ＮＥ２１は、Ｗｅｓｔ側のＥ１／Ｅ２をディセーブル設定してハウリングを防止する。同様に、ＮＥ３１は、Ｗｅｓｔ側のＥ１／Ｅ２をディセーブル設定してハウリングを防止する。
【００６４】
ＮＥ１０ａでは、ＲｉｎｇＡとＲｉｎｇＢ間の相互乗り入れを切断するように、ＲｉｎｇＡのオーダワイヤ信号をマトリクス・スイッチ２ａ、２ｂで加算手段１−１に接続し、ＲｉｎｇＢのオーダワイヤ信号をマトリクス・スイッチ２ａ、２ｂで加算手段１−２に接続する。
【００６５】
ＮＥ２１とＮＥ２３が通話を行う場合について、電話機２１−１を通じての音声信号は、オーダワイヤ信号として、ＮＥ２１の例えばＳＴＭ−４信号のＥ１＃１に挿入され、ＮＥ２１内部の加算部を通り、ＮＥ２２を介してＮＥ２３へ送信される。
【００６６】
ＮＥ２３は、オーダワイヤ信号であるＳＴＭ−４信号のＥ１＃１を終端し、ＮＥ２３内部の加算部を通って電話機２３−１に送出する。また、この逆にＮＥ２３からオーダワイヤ信号を挿入し、ＮＥ２２を介してＮＥ２１へ送信してＮＥ２１で終端することで、ＮＥ２１とＮＥ２３間の通話を実現する。
【００６７】
次にＲｉｎｇＢのＮＥ１０ａとＮＥ３３が通話を行う場合について説明する。電話機１０ａ−１を通じての音声信号は、ＮＥ１０ａの例えばＳＴＭ−４信号のＥ１＃１に挿入され、ＮＥ１０ａ内部の加算手段１−２を通り、オーダワイヤ信号としてＮＥ３３へ送信される。
【００６８】
ＮＥ３３は、オーダワイヤ信号であるＳＴＭ−４信号のＥ１＃１を終端し、ＮＥ３３内部の加算部を通って電話機３３−１に送出する。また、この逆にＮＥ３３からオーダワイヤ信号を挿入し、ＮＥ１０ａで終端することで、ＮＥ１０ａとＮＥ３３間の通話を実現する。
【００６９】
次にＲｉｎｇＡに回線障害が発生した場合の動作について説明する。図６は回線障害が発生した場合のＲｉｎｇ×２のシステム構成を示す図である。
ＲｉｎｇＡでは、回線障害発生ポイントＰａに隣接するＮＥ２２が、回線障害アラームをマスタ局であるＮＥ２１へ送信する。ＮＥ２１は、これにより回線障害を検出し、Ｗｅｓｔ側のＥ１／Ｅ２をイネーブル設定とする（リングレストア機能）。そして、ＮＥ２２のＥａｓｔのオーダワイヤ信号を切断する。
【００７０】
ＮＥ２１とＮＥ２３間の通話について、電話機２１−１を通じての音声信号は、オーダワイヤ信号として、ＮＥ２１の例えばＳＴＭ−４信号のＥ１＃１に挿入され、ＮＥ２１内部の加算部を通り、ＮＥ１０ａを介してＮＥ２３へ送信される。
【００７１】
ＮＥ２３は、オーダワイヤ信号であるＳＴＭ−４信号のＥ１＃１を終端し、ＮＥ２３内部の加算部を通って電話機２３−１に送出する。また、この逆にＮＥ２３からオーダワイヤ信号を挿入し、ＮＥ１０ａを介してＮＥ２１で終端することで、ＮＥ２１とＮＥ２３間の通話を実現する。なお、ＲｉｎｇＢの回線障害が発生した場合も同様な動作であるので説明は省略する。
【００７２】
次にＲｉｎｇＡ、Ｂの音声信号の相互乗り入れ通話（ＮＥ２１、ＮＥ２３、ＮＥ１０ａ、ＮＥ３３間での通話) の動作について説明する。図７は相互乗り入れ通話時のシステム構成を示す図である。
【００７３】
ＮＥ２１は、Ｗｅｓｔ側のＥ１／Ｅ２をディセーブル設定してハウリングを防止する。同様に、ＮＥ３１は、Ｗｅｓｔ側のＥ１／Ｅ２をディセーブル設定してハウリングを防止する。
【００７４】
ＮＥ１０ａでは、ＲｉｎｇＡとＲｉｎｇＢ間の相互乗り入れを可能にするため、ＲｉｎｇＡ、Ｂのオーダワイヤ信号をマトリクス・スイッチ２ａ、２ｂで加算手段１−１に接続する。なお、電話機１０ａ−１も図５で示したセレクタ８ｄによって加算手段１−１に接続する。
【００７５】
ＮＥ２１は、オーダワイヤ信号を例えばＳＴＭ−４信号のＥ１＃１に挿入する。そして、オーダワイヤ信号は、ＮＥ２１内部の加算部を通って、ＮＥ２２を介してＮＥ２３へ送信される。
【００７６】
ＮＥ２３は、オーダワイヤ信号であるＳＴＭ−４信号のＥ１＃１を終端する。そして、オーダワイヤ信号は、ＮＥ２３内部の加算部を通って電話機２３−１に送出される。また、オーダワイヤ信号をＳＴＭ−４信号のＥ１＃１に挿入してＥａｓｔ側のＮＥ１０ａに送信する。
【００７７】
ＮＥ１０ａは、ＲｉｎｇＡのＷｅｓｔ側からのＳＴＭ−４信号のＥ１＃１を終端する。そして、オーダワイヤ信号は、加算手段１−１を通って電話機１０ａ−１に送出される。また、オーダワイヤ信号をＲｉｎｇＢのＥａｓｔ側でＳＴＭ−４信号のＥ１＃１に挿入して出力する。
【００７８】
ＮＥ３３は、Ｗｅｓｔ側からのＳＴＭ−４信号のＥ１＃１を終端する。そして、オーダワイヤ信号は、加算部を通って電話機３３−１に送出される。なお、逆方向のＮＥ３３→ＮＥ１０ａ→ＮＥ２３→ＮＥ２２→ＮＥ２１も同様な動作であるため説明は省略する。
【００７９】
次にＡ−ｌａｗコードとμ−ｌａｗコードが混在するＲｉｎｇを持つネットワークについて説明する。図８はＡ−ｌａｗコードとμ−ｌａｗコードが混在するＲｉｎｇを持つネットワークを示す図である。
【００８０】
図のシステムは、マトリクス・スイッチ２ａ、２ｂのスイッチング制御により、加算手段１−１はＲｉｎｇＡとＲｉｎｇＤと接続し、加算手段１−２はＲｉｎｇＢ、Ｃ、Ｅ、Ｆと接続している。このような接続により、ＲｉｎｇＡ、Ｄ間のオーダワイヤ信号の相互乗り入れ、ＲｉｎｇＢ、Ｃ、Ｅ、Ｆ間のオーダワイヤ信号の相互乗り入れが可能になる。
【００８１】
図では、ＲｉｎｇＡ、Ｂ、ＥがＡ−ｌａｗコードであり、ＲｉｎｇＣ、Ｄ、Ｆがμ−ｌａｗコードである。ディジタルコード変換手段３は、Ａ−ｌａｗコードまたはμ−ｌａｗコードのオーダワイヤ信号を、リニア変換して加算手段１−１〜１−ｎへ出力する。
【００８２】
したがって、加算手段１−１、１−２のディジタル加算は、リニアコードで行うことができ、各Ｒｉｎｇから送信された信号がＡ−ｌａｗまたはμ−ｌａｗコードのいずれであってもＲｉｎｇＡ、Ｄ間、ＲｉｎｇＢ、Ｃ、Ｅ、Ｆ間で通話が可能である。
【００８３】
図９はディジタルコード変換手段３の構成例を示す図である。ディジタルコード変換手段３は、Ａ−ｌａｗ・リニア変換手段３０ａと、μ−ｌａｗ・リニア変換手段３０ｂと、スイッチ３０ｃとから構成される。
【００８４】
Ａ−ｌａｗ・リニア変換手段３０ａは、Ａ−ｌａｗコードの信号をリニア変換する。または、リニアコードの信号をＡ−ｌａｗコードの信号に変換する。
μ−ｌａｗ・リニア変換手段３０ｂは、μ−ｌａｗコードの信号をリニア変換する。または、リニアコードの信号をμ−ｌａｗコードの信号に変換する。
【００８５】
スイッチ３０ｃは、Ａ−ｌａｗ・リニア変換手段３０ａまたはμ−ｌａｗ・リニア変換手段３０ｂのいずれかを選択する。
例えば、Ａ−ｌａｗコードの信号Ｓａをリニアコードの信号Ｓｂに変換して出力する場合、Ａ−ｌａｗ・リニア変換手段３０ａは、信号Ｓａをリニアコードの信号Ｓｂに変換する。スイッチ３３ｃはＡ−ｌａｗ・リニア変換手段３０ａを選択して信号Ｓｂを出力する。
【００８６】
また、リニアコードの信号ＳｃをＡ−ｌａｗコードの信号Ｓｄに変換して出力する場合、スイッチ３０ｃはＡ−ｌａｗ・リニア変換手段３０ａを選択する。Ａ−ｌａｗ・リニア変換手段３０ａは、信号ＳｃをＡ−ｌａｗの信号Ｓｄに変換して出力する。
【００８７】
このように、ディジタルコード変換手段３は、Ａ−ｌａｗとμ−ｌａｗをリニアコードへ、逆にリニアコードをＡ−ｌａｗまたはμ−ｌａｗに変換する。
これにより、Ａ−ｌａｗコード（ＳＤＨ）とμ−ｌａｗコード（ＳＯＮＥＴ）が混在しても、オーダワイヤ機能が使用できる。
【００８８】
以上説明したように、オーダワイヤ制御装置１０は、複数の加算手段１−１〜１−ｎを持ち、組み合わせ制御手段２でスイッチング制御して、任意に加算の組み合わせを変える構成にした。
【００８９】
したがって、オーダワイヤ制御装置１０を用いて、複数のＲｉｎｇを接続した場合、各Ｒｉｎｇに対してオーダワイヤがリング構成を持つことができるので、回線障害が発生した場合でも、オーダワイヤ通信を行うことが可能になる。
【００９０】
また、加算手段１−１〜１−ｎのディジタル化ができることで高集積化とコストダウンを図ることが可能になる。さらに、ディジタル加算のためノイズの混入が減り、同時通話ｃｈ数を増加することが可能になる。
【００９１】
【発明の効果】
以上説明したように、本発明のオーダワイヤ制御装置は、複数の加算手段でオーダワイヤ信号を加算し、さらに加算の組み合わせ制御を行う構成とした。これにより、１つのリングネットワークだけでオーダワイヤ信号を閉じたり、互いに異なる任意のリングネットワーク間でオーダワイヤ信号を相互乗り入れしたりできるので、オーダワイヤ信号を用いての通話に拡張性及び柔軟性を持たすことができ、利便性及び保守性の向上を図ることが可能になる。
【００９２】
また、本発明のオーダワイヤ制御システムは、リングネットワークからのオーダワイヤ信号を複数の加算手段で加算し、さらに加算の組み合わせ制御を行う構成とした。これにより、リングネットワーク間を通じたオーダワイヤ信号の相互乗り入れ等を行うことができるので、システムに拡張性を持たすことができ、利便性及び保守性の向上を図ることが可能になる。
【図面の簡単な説明】
【図１】  オーダワイヤ制御装置の原理図である。
【図２】  組み合わせ制御の変形例を示す図である。
【図３】  Ｒｉｎｇ×２のシステム構成を示す図である。
【図４】  ＮＥの構成を示す図である。
【図５】  加算手段と電話機接続手段の内部構成を示す図である。
【図６】  回線障害が発生した場合のＲｉｎｇ×２のシステム構成を示す図である。
【図７】  相互乗り入れ通話時のシステム構成を示す図である。
【図８】  Ａ−ｌａｗコードとμ−ｌａｗコードが混在するＲｉｎｇを持つネットワークを示す図である。
【図９】  ディジタルコード変換手段の構成例を示す図である。
【図１０】  リングプロテクション機能の概要を示す図である。
【図１１】  リングプロテクション機能の概要を示す図である。
【図１２】  リングレストア機能の概要を示す図である。
【図１３】  リングレストア機能の概要を示す図である。
【図１４】  Ｒｉｎｇ×２のジャンクション構成のシステムを示す図である。
【符号の説明】
１−１〜１−ｎ  加算手段
２  組み合わせ制御手段
３  ディジタルコード変換手段
１０  オーダワイヤ制御装置
ＲｉｎｇＡ〜Ｆ  リングネットワーク
【図１】
0003765700.tif 000002
【図２】
0003765700.tif 000003
【図３】
0003765700.tif 000004
【図４】
0003765700.tif 000005
【図５】
0003765700.tif 000006
【図６】
0003765700.tif 000007
【図７】
0003765700.tif 000008
【図８】
0003765700.tif 000009
【図９】
0003765700.tif 000010
【図１０】
0003765700.tif 000011
【図１１】
0003765700.tif 000012
【図１２】
0003765700.tif 000013
【図１３】
0003765700.tif 000014
【図１４】
0003765700.tif 000015